(57)【特許請求の範囲】
【請求項１】
メインフレームに設けられたローターを回転させることによって、タインアームを鉛直軸を中心に回転させ、当該タインアームに取り付けられたタインを上下動させることによって牧草を列方向に集められるようにしたレーキにおいて、
前記メインフレームの前方を持ち上げるためのスタンドと、
当該スタンドを接地状態と水平状態との間で回動させる回動部と、を設け、
当該スタンドを水平方向に回動させて固定した際に、タインアームの回転領域の前方部分を覆うようにしたことを特徴とするレーキ。
【請求項２】
前記スタンドを、トラクターのロアリンクに連結させる左右のそれぞれの連結フレームに設けるようにした請求項１に記載のレーキ。
【請求項３】
前記スタンドを、斜め後方に向けて傾斜させるようにした請求項１に記載のレーキ。
【発明の詳細な説明】
【技術分野】
【０００１】
本発明は、ローターを回転させることにより、牧草を列方向に集められるようにしたレーキに関するものであって、より詳しくは、タインアームの外側に安全ガードを設けるようにしたレーキに関するものである。
【背景技術】
【０００２】
従来の一般的なレーキの構造について図５に説明する。
【０００３】
符号７１はメインフレームであって、トラクターのトップリンクやロアリンクなどに連結されるものである。このメインフレーム７１の前方には、鉛直方向に沿ったスタンド７２が設けられており、このスタンド７２を立てることによってメインフレーム７１を水平な状態にできようにしている。また、符号７３はローターであって、その周囲にタインアーム７４を放射状に設け、３６０度回転させながら、その先端に設けられたタイン７５を上下動させられるようにしたものである。そして、このようなレーキを使用する際、トラクターで圃場を走行させながらローター７３を回転させ、これによって、タインアーム７４の先端に設けられたタイン７５で地面を引っ掻いて牧草を列方向に集めるようにしている。
【０００４】
ところで、このようなレーキには、ローター７３の回転時に、タインアーム７４の回転領域に人が侵入しないようにするための安全ガード７６が設けられ、また、タインアーム７４の回転領域から牧草を飛散させないようにして集草列を作れるようにしたスカート７７などが設けられている。この安全ガード７６や飛散防止部７８は、回動軸７６ａを介して、使用時に水平状態に降ろして固定するとともに、非使用時にはこれらを起立状態に持ち上げられるようにしている。
【先行技術文献】
【特許文献】
【０００５】
【特許文献１】特開平５−１８４２２９号公報
【発明の概要】
【発明が解決しようとする課題】
【０００６】
しかしながら、このような安全ガード７６や飛散防止部７８などを設ける場合、次のような問題がある。
【０００７】
すなわち、従来の安全ガード７６は、一端側をメインフレーム７１の前方部分に設けられた回動部７６ａに取り付けられるとともに、他端側をメインフレーム７１から延出させた飛散防止部７８の先端部分に取り付けられるようになっているため、全体としてのフレームが長くなってしまい、材料コストが高くつく。また、このようなレーキをコンパクトに収納させる際には、安全ガード７６などを起立させる必要があるが、その際、その安全ガード７６を取り付けた飛散防止部７８も一緒に回動軸７６ｂを用いて起立させなければならず、その飛散防止部７８を起立させるための回動部７６ｂが必要になってコスト高になってしまう。
【０００８】
さらには、飛散防止部７８はタインを持ち上げる側（図５の左側）にのみ設けられるものであるため、反対側である飛散防止部７８を有していない側（右側）には、別の構造の安全ガードを取り付けなければならない。
【０００９】
そこで、本発明は上記課題を解決するために、低コストに安全ガードを設けられるようにするとともに、飛散防止部を設けていない側にも安全ガードを低コストに設けられるようにしたレーキを提供することを目的とするものである。
【課題を解決するための手段】
【００１０】
すなわち、本発明は上記課題を解決するために、メインフレームに設けられたローターを回転させることによって、タインアームを鉛直軸を中心に回転させ、当該タインアームに取り付けられたタインを上下動させることで牧草を列方向に集められるようにしたレーキにおいて、前記メインフレームの前方を持ち上げるためのスタンドと、当該スタンドを接地状態と水平状態との間で回動させる回動部とを設け、当該スタンドを水平方向に回動させて固定した際に、タインアームの回転領域の前方部分を覆うようにしたものである。
【００１１】
このように構成すれば、スタンドを水平方向に回動させることによって安全ガードとして使用することができ、スタンドと安全ガードとを兼用してコストを下げることができるようになる。
【００１２】
また、このような発明において、前記スタンドを、トラクターのロアリンクに連結させる左右のそれぞれの連結フレームに取り付けるようにする。
【００１３】
このように構成すれば、ロアリンクに連結させる左右の連結フレームを利用することで、よりコストを下げることができるようになる。
【００１４】
さらに、前記スタンドを、斜め後方に向けて傾斜させるようにする。
【００１５】
このように構成すれば、水平状態のスタンドと飛散防止用のスカートとの隙間を小さくすることができ、スタントとスカートとで有効に回転領域を覆うことができるようになる。
【発明の効果】
【００１６】
本発明によれば、メインフレームに設けられたローターを回転させることによって、タインアームを鉛直軸を中心に回転させ、当該タインアームに取り付けられたタインを上下動させることで牧草を列方向に集められるようにしたレーキにおいて、前記メインフレームの前方を持ち上げるためのスタンドと、当該スタンドを接地状態と水平状態との間で回動させる回動部とを設け、当該スタンドを水平方向に回動させて固定した際に、タインアームの回転領域の前方部分を覆うようにしたので、スタンドを水平方向に回動させることによって安全ガードとして使用することができ、スタンドと安全ガードとを兼用してコストを下げることができるようになる。
【図面の簡単な説明】
【００１７】
【図１】本発明の一実施の形態におけるレーキの平面概略図
【図２】同形態における側面概略図
【図３】同形態におけるスタンドの接地状態と水平状態を示す図
【図４】他の実施の形態におけるレーキの平面概略図
【図５】従来例におけるレーキの構造を示す図
【発明を実施するための形態】
【００１８】
以下、本発明の一実施の形態におけるレーキ１の構造について、図面を参照しながら説明する。
【００１９】
この実施の形態におけるレーキ１は、図示しないトラクターなどの牽引車に牽引されながら牧草を列方向に集められるようにしたものであって、図１や図２に示すように、トラクターに連結されるメインフレーム２と、そのメインフレーム２の後方側に取り付けられたローター３と、このローター３の外側に放射状に設けられたタインアーム４１と、そのタインアーム４１の先端側に設けられたタイン４２などを備え、タインアーム４１を鉛直軸を中心に回転させるとともに、そのタインアーム４１の前端側に取り付けられたタイン４２を上下に揺動させることによって牧草を列方向に集められるようにしたものである。そして、このような構成において、特徴的に、そのメインフレーム２を水平状態に持ち上げておくためのスタンド６を設け、レーキ１の非使用時には、図３（ａ）に示すように、スタンド６を起立させておき、集草作業時には、図３（ｂ）に示すように、スタンド６を水平状態に回動させて、安全ガードとして使用できるようにしたものである。以下、本実施の形態におけるレーキ１の構造について詳細に説明する。
【００２０】
まず、メインフレーム２は、前後方向に設けられるものであって、前方部分を図示しないトラクターのトップリンクやロアリンクに連結させるように構成されている。このうち、トップリンクに連結させるための上部連結部２１は、図２に示すように、メインフレーム２の上面から斜め上前方にフレームを延出させ、その先端部分でトップリンクを連結させるようになっている。一方、ロアリンクに連結させるための下部連結部２２は、図１に示すように、メインフレーム２から左右斜め前方にフレームを延出させ、その先端部分でロアリンクを連結させるようにしている。
【００２１】
このメインフレーム２の後端側に設けられるローター３は、外側に四本のタインアーム４１を放射状に延出させるようにしたものであって、トラクターのＰＴＯからの駆動力を用いて回転するようになっている。このトラクターのＰＴＯからの駆動力は、メインフレーム２の内部を通る駆動シャフト２３に伝達され、これによってローター３を回転させるようになっている。このＰＴＯから駆動力が伝達されると、ローター３内に設けられた図示しない駆動機構を介して、タインアーム４１を鉛直軸を中心として３６０度回転させ、また、これと同時に、タインアーム４１の先端側に設けられたタイン４２を周期的に上下方向に揺動させる。このとき、タイン４２は、図１における回転領域Ａで先端部分を接地させて地面を引っ掻くようになっており、また、回転領域Ｂでは先端部分を持ち上げて牧草を列方向に集められるようになっている。
【００２２】
また、このローター３の近傍には、メインフレーム２から横方向に延びる飛散防止部５が取り付けられる。この飛散防止部５は、その先端に設けられたスカート５４を用いて牧草の飛散を防止して集草列を作れるようにしたものであって、ここでは、図１に示すように、メインフレーム２に取り付けられた中空フレーム５１と、その中空フレーム５１にスライド可能に挿入されるスライドフレーム５２と、そのスライドフレーム５２の先端からＴ字状をなすサイドフレーム５３とを設けて構成され、そのサイドフレーム５３にスカート５４を取り付けるようにしている。そして、その中空フレーム５１にスライドフレーム５２を挿入してスカート５４の取り付け位置を決め、その状態で、中空フレーム５１に設けられた固定ネジ５５を用いてスライドフレーム５２を固定できるようにしている。
【００２３】
このような構成のもと、メインフレーム２の前方には次のようなスタンド６が設けられる。
【００２４】
このスタンド６は、図３に示すように、接地状態と水平状態との間で回動できるようにしたものであって、接地状態にすることによって、メインフレーム２を略水平状態に保つようにするとともに、水平状態にすることによって、タインアーム４１の回転領域（ＡおよびＢの領域）の前方部分を覆って、安全ガードとして使用できるようにしたものである。
【００２５】
このスタンド６は、メインフレーム２から左右斜め前方に向かって延びる下部連結部２２の内側に回動部６１を取り付け、その回動部６１に回動可能に取り付けられる。この回動部６１は、図３に示すように、下向きコの字状をなすように構成されており、回動軸６２を中心としてスタンド６を回動させるようにしている。そして、そのスタンド６の先端を接地状態にして使用する場合は、図３（ａ）に示すように、スタンド６の回動中心側に設けられた孔部６３と回動部６１の側板に設けられた起立孔部６４との間にピン６６を挿入し、また、安全ガードとして使用する場合は、スタンド６を水平状態にして、そのスタンド６の孔部６３と側板に設けられた水平孔部６５との間にピン６６を挿入して固定する。このとき、スタンド６を水平状態にすると、図１に示すように、メインフレーム２の軸方向に対して後方に約４５度に傾くようになるため、スタンド６とスカート５４との隙間を小さくして、スタント６とスカート５４とで有効に回転領域を覆うことができるようになる。
【００２６】
次に、このように構成されたレーキ１の使用方法について説明する。
【００２７】
まず、レーキ１を使用する場合、ローター３の外周にタインアーム４１を取り付けるとともに、その外側に飛散防止部５を取り付ける。この飛散防止部５を取り付ける場合、中空フレーム５１にスライドフレーム５２を挿入し、タインアーム４１の回転領域の外側をスカート５４で覆うようにする。そして、その状態で、中空フレーム５１の固定ネジ５５を締め付けてスライドフレーム５２を固定する。
【００２８】
また、これとともにトラクターのトップリンクとロアリンクにレーキ１を連結させる。レーキ１を連結させる場合、上部連結部２１とトップリンクをピンで連結するとともに、Ｖ字状に設けられた左右の下部連結部２２の先端部分とロアリンクをピンで連結させる。このとき、メインフレーム２とトラクターを連結させた後、メインフレーム２を少し持ち上げてスタンド６を持ち上げるようにしておくとよい。
【００２９】
そして、このようにスタンド６を持ち上げた状態で、図３（ａ）の状態から回動部６１の側板に設けられたピン６６を抜き、スタンド６を水平状態に回動させてピン６６で固定させる（図３（ｂ））。すると、Ｖ字状に開く下部連結部２２と水平状態に持ち上げられたスタンド６が、タインアーム４１の回転領域の前方部分を覆うようになる。しかも、このときスタンド６は、斜め後方に４５度傾くようになっているため、スカート５４との隙間を小さくして、全体として回転領域を覆うことができるようになる。
【００３０】
そして、このようにスタンド６を水平状態に固定した後、駆動シャフト２３とトラクターのＰＴＯとを連結させる。
【００３１】
このような状態のもと、トラクターを走行させると、ローター３が回転し、タイン４２を上下方向に揺動させて牧草を列方向に集めることができる。このとき、タインアーム４１の回転領域の前方側には、水平方向に持ち上げられたスタンド６が設けられているため、人が侵入するのを防止することができ、また、回転領域Ａの領域で牧草を引っ掻いてスカート５４側に集め、回転領域Ｂでタイン４２を持ち上げて牧草を集めることができるようになる。
【００３２】
このように上記実施の形態によれば、メインフレーム２に設けられたローター３を回転させることによって、タインアーム４１を鉛直軸を中心に回転させ、当該タインアーム４１に取り付けられたタイン４２を上下動させて牧草を列方向に集められるようにしたレーキ１において、前記メインフレーム２の前方を持ち上げるためのスタンド６と、当該スタンド６を接地状態と水平状態との間で回動させる回動部６１とを設け、当該スタンド６を水平方向に回動させた際に、タインアーム４１の回転領域の前方部分を覆うようにしたので、スタンド６を水平方向に回動させることによって安全ガードとして使用することができ、スタンド６と安全ガードとを兼用してコストを下げることができるようになる。
【００３３】
また、スタンド６を、トラクターのロアリンクに連結させる左右のそれぞれの連結フレームに取り付けるようにしたので、ロアリンクに連結させる左右の連結フレームを利用して、よりコストを下げることができるようになる。
【００３４】
さらに、スタンド６を、下部連結部２２から斜め後方に向けて傾斜させるようにしたので、水平状態のスタンド６と飛散防止用のスカート５４との隙間を小さくすることができ、スタント６とスカート５４とで有効に回転領域を覆うことができるようになる。
【００３５】
なお、本発明は本実施の形態に限定されることなく、種々の態様で実施することができる。
【００３６】
例えば、上記実施の形態では、直線状のスタンド６を例に挙げて説明したが、屈曲した形状のスタンド６や湾曲した形状のスタンド６などを用いることもできる。
【００３７】
また、上記実施の形態では、スタンド６を下部連結部２２に設けるようにしているが、図４に示すように、メインフレーム２に直接回動部６１を設けてスタンド６を取り付けるようにしてもよい。
【符号の説明】
【００３８】
１・・・レーキ
２・・・メインフレーム
２１・・・上部連結部
２２・・・下部連結部
３・・・ローター
４１・・・タインアーム
４２・・・タイン
５・・・飛散防止部
５１・・・中空フレーム
５２・・・スライドフレーム
５３・・・サイドフレーム
５４・・・スカート
５５・・・ネジ
６・・・スタンド
６１・・・回動部
６２・・・回動軸
６３・・・孔部
６４・・・起立孔部
６５・・・水平孔部
６６・・・ピン
【図１】
0006422151.tif 000002
【図２】
0006422151.tif 000003
【図３】
0006422151.tif 000004
【図４】
0006422151.tif 000005
【図５】
0006422151.tif 000006